【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
入口にスライバガイドを有するドラフト装置に互いに並んで進入する複数のスライバが一平面上で測定部材内に通され、該測定部材に負荷された可動の触知部材が配置されており、この触知部材が対向面と共に、圧縮されて通過する複数のスライバからなるダブリングスライバに対する狭隘部を形成し、該狭隘部を通過するダブリングスライバの太さの変化による位置変化が制御パルスを発生する変換装置に作用する、複数のスライバからなるダブリングスライバの太さを測定するための練条機における装置において、
前記触知部材が複数の触知要素（３０ａ〜３０ｎ）を有しており、各々の触知要素（３０ａ〜３０ｎ）が各々１つのスライバ（５ａ〜５ｎ）の太さに偏差が生じると変位できるように可動に取り付けられていて、予荷重を負荷されており、個々の触知要素（３０ａ〜３０ｎ）の変位が加算されることを特徴とする複数のスライバからなる重合スライバの太さを測定するための練条機における装置。
【請求項２】
すべての触知要素（３０ａ〜３０ｎ）が、回転可能に支承されて荷重部材（４２）によって予荷重を負荷されている保持部材（３９）と結合しており、この保持部材（３９）に個々の触知要素（３０ａ〜３０ｎ）の変位の加算結果が存在していることを特徴とする請求項１記載の装置。
【請求項３】
触知要素（３０ａ〜３０ｎ）がばねなどによって予荷重を負荷されていることを特徴とする請求項１または２記載の装置。
【請求項４】
触知要素（３０ａ〜３０ｎ）が板ばねによって形成されていることを特徴とする請求項１から３までのいずれか１項記載の装置。
【請求項５】
板ばね（３０ａ〜３０ｎ）が片側で固定されていることを特徴とする請求項４記載の装置。
【請求項６】
対向面が回転するローラ（４６）の外周面であることを特徴とする請求項１から５までのいずれか１項記載の装置。
【請求項７】
測定部材（９）がスライバガイド（６）の上流に配置されていることを特徴とする請求項１から６までのいずれか１項記載の装置。
【請求項８】
測定部材（９）がスライバガイド（６）に組み込まれていることを特徴とする請求項１から６までのいずれか１項記載の装置。
【請求項９】
触知要素（３０ａ〜３０ｎ）が、回転可能または摺動可能に支承されて荷重部材（４２）によって予荷重を負荷されている共通の保持部材（３９）と結合しており、この保持部材（３９）に個々の触知要素（３０ａ〜３０ｎ）の変位の加算結果が存在しており、触知要素（３０ａ〜３０ｎ）が一方の端部に保持部材（３９）と固く結合している固定範囲を有しており、触知要素（３０ａ〜３０ｎ）が予荷重を負荷された保持部材（３９）の回転運動または摺動運動に対する案内部材を形成しており、触知範囲が触知要素（３０ａ〜３０ｎ）の他方の端部によって形成されていることを特徴とする請求項１から８までのいずれか１項記載の装置。
【請求項１０】
触知要素（３０ａ〜３０ｎ）が板ばねであることを特徴とする請求項１から９までのいずれか１項記載の装置。
【請求項１１】
触知要素（３０ａ〜３０ｎ）がディッシュプレート（４７）の端面に当接していることを特徴とする請求項１から１０までのいずれか１項記載の装置。
【請求項１２】
触知要素（３０ａ〜３０ｎ）の拘束されていない端部と、ディッシュプレート（４７）の拘束されていない端部との間に間隔が存在していることを特徴とする請求項１から１０までのいずれか１項記載の装置。
【請求項１３】
ディッシュプレート（４７）とフィードローラ（４６）との間の隙間が運転中ほぼ一定であることを特徴とする請求項１から１２までのいずれか１項記載の装置。
【請求項１４】
ディッシュプレート（４７）またはフィードローラ（４６）がばね弾性的に負荷されて支承されており、ばね（４９）が触知要素（３０ａ〜３０ｎ）を形成しているばねよりも硬いことを特徴とする請求項１から１３までのいずれか１項記載の装置。
【請求項１５】
ディッシュプレート（４７）が触知要素（３０ａ〜３０ｎ）の変位方向で不動に支承されていることを特徴とする請求項１から１３までのいずれか１項記載の装置。
【請求項１６】
触知要素（３０ａ〜３０ｎ）の一方の端部が保持部材（３９）から浮き上がることができるように構成されていることを特徴とする請求項１から１５までのいずれか１項記載の装置。
【請求項１７】
触知要素（３０ａ〜３０ｎ）の変位に対するストッパが存在していることを特徴とする請求項１から１６までのいずれか１項記載の装置。
【請求項１８】
板ばね（３０ａ〜３０ｎ）が互いに平行に配置されていることを特徴とする請求項１から１７までのいずれか１項記載の装置。
【請求項１９】
板ばね（３０ａ〜３０ｎ）がディッシュプレート（４７）の変位方向で弾力的であることを特徴とする請求項１から１８までのいずれか１項記載の装置。
【請求項２０】
板ばね（３０ａ〜３０ｎ）がディッシュプレート（４７）から保持部材（３９）に向かう方向で曲がりにくいことを特徴とする請求項１から１９までのいずれか１項記載の装置。
【請求項２１】
保持部材（３９）が横材として形成されていることを特徴とする請求項２０記載の装置。
【請求項２２】
保持部材（３９）がローラ（４６）に対して軸平行に配置されていることを特徴とする請求項２０記載の装置。
【請求項２３】
保持部材（３９）がねじれにくい構成で作られていることを特徴とする請求項２０記載の装置。
【請求項２４】
保持部材（３９）に端面で軸方向に少なくとも１つのねじり棒が存在していることを特徴とする請求項２０から２３までのいずれか１項記載の装置。
【請求項２５】
保持部材（３９）が少なくとも一方の端面でピボット軸受（４０、４１）に支承されていることを特徴とする請求項２０から２４までのいずれか１項記載の装置。
【請求項２６】
保持部材（３９）に回転運動に対する測定部材（４３）が付属していることを特徴とする請求項２０から２５までのいずれか１項記載の装置。
【請求項２７】
測定部材（４３）が誘導変位センサであることを特徴とする請求項２６記載の装置。
【請求項２８】
測定部材（４３）がひずみゲージを有していることを特徴とする請求項２６記載の装置。
【請求項２９】
場合によって全幅にわたり数箇所で生じる太さの偏差が個々の触知要素によって機械的に把握され、これらの太さの偏差が共通の保持部材（３９）により平均値形成によってまとめられることを特徴とする請求項１から２８までのいずれか１項記載の装置。
【請求項３０】
平均値で示される実際値の目標値からの偏差に応じて、練条機（１）に供給される繊維量が変化することを特徴とする請求項１から２９までのいずれか１項記載の装置。
【請求項３１】
触知要素（３０ａ〜３０ｎ）がローラ（４６）の上方に配置されていることを特徴とする請求項１から３０までのいずれか１項記載の装置。
【請求項３２】
板ばねがローラ（４６）とローラ（３７）との隙間内に突入していることを特徴とする請求項１から３１までのいずれか１項記載の装置。
【請求項３３】
触知要素に少なくとも１つの不動の衝止部材が付属していることを特徴とする請求項１から３２までのいずれか１項記載の装置。
【請求項３４】
ローラ（４６）が不動に支承されていることを特徴とする請求項１から３３までのいずれか１項記載の装置。
【請求項３５】
保持部材（３９）が押出成形材からなることを特徴とする請求項１から３４までのいずれか１項記載の装置。
【請求項３６】
押出成形材の内側が中空であることを特徴とする請求項１から３５までのいずれか１項記載の装置。
【請求項３７】
押出成形材がアルミニウムまたはアルミニウム合金からなることを特徴とする請求項１から３６までのいずれか１項記載の装置。
【請求項３８】
保持部材（３９）の軸方向の端面に棒、ボルト、ジャーナルなどの如き各々１つの軸が存在していることを特徴とする請求項１から３７までのいずれか１項に記載の装置。